【手続補正書】
【提出日】令和2年1月15日(2020.1.15)
【手続補正１】
【補正対象書類名】特許請求の範囲
【補正対象項目名】全文
【補正方法】変更
【補正の内容】
【特許請求の範囲】
【請求項１】
多層階建物を構築するための方法であって、
前記多層階建物の壁を支持するための基礎を構築することであって、前記基礎に埋め込まれる複数の嵌合アンカーを含み、各該嵌合アンカーは前記基礎から突出する上部を有していることと、
複数の壁トラスを組み立てることであって、当該壁トラスのそれぞれが複数の鉛直部材を含むモーメントフレームから成り、当該鉛直部材のうち隣り合う鉛直部材がその上部にて、水平梁により相互連結され、当該水平梁が隣り合う鉛直部材間の空間を跨いで前記鉛直部材のそれぞれの側部に連結され、前記相互連結は曲げモーメントを伝達でき且つ曲げモーメントに抵抗できる固定されたジョイントであり、前記壁トラスの各端部における少なくとも２つの鉛直部材が中空部材を含むことと、
壁トラスのセットの前記鉛直部材の前記中空部材の底部を、前記基礎に埋め込まれた前記嵌合アンカーの前記突出上部上にセットすることと、
固定されたジョイントを作成するために固定塊を形成する物質の所定量を前記中空部材に充填することとを、含む多層階建物構築方法。
【請求項２】
各壁トラスに関して前記中空部材の上部内に取り付け部材を挿入することであって、該取り付け部材が挿入された前記中空部材の前記上部より上に、前記取り付け部材が突出することと、
その下の階に設置された既に存在している壁トラスの上に、追加の壁トラスを積み重ねることであって、１セットの壁トラスの前記中空部材の底部を、前記下の階の前記存在している壁トラスの前記取り付け部材の突出上部の上にセットすることによることとを、含む請求項１に記載の多層階建物構築方法。
【請求項３】
更に、
前記取り付け部材及び中空部材に、所定量の材料を充填し、当該材料が中実の固体塊を形成して、固定されたジョイントを作成することを含む、請求項２に記載の多層階建物構築方法。
【請求項４】
前記組み立てるステップが、
鋼管から成る鉛直部材を有するフィーレンディールトラスを含む壁トラスを、曲げモーメントを伝達し且つ曲げモーメントに抵抗できる固定されたジョイントを有するフレームとして製造することを含み、前記鉛直部材がその上部にて水平梁により相互連結されて矩形の開口部を形成する、請求項１に記載の多層階建物構築方法。
【請求項５】
前記組み立てるステップが、
壁トラスを製造することを含み、当該壁トラスが、線状列に位置合わせされた鋼管から成る複数の鉛直部材を備え、当該鉛直部材のうち隣り合う鉛直部材が、隣り合う鉛直部材間の空間を跨いで延在する上部梁と、隣り合う鉛直部材間の空間を跨いで延在する底部梁とにより相互連結され、前記相互連結が、曲げモーメントを伝達し且つ曲げモーメントに抵抗できる固定されたジョイントである、請求項１に記載の多層階建物構築方法。
【請求項６】
隣接する積み重ねられた壁トラスの一方である下階の壁トラスの前記上部水平梁に、前記隣接する積み重ねられた壁トラスの表面から前記多層階建物の内部へと水平方向に延在する床棚を取り付けることを更に含む、請求項１に記載の多層階建物構築方法。
【請求項７】
床モジュールを前記床棚の上に、対向する壁トラス間の距離を跨ぐように配置することであって、前記床モジュールが前記壁トラスの内面間のみに延在することを更に含む、請求項６に記載の多層階建物構築方法。
【請求項８】
前記隣接する積み重ねられた壁トラスの表面から前記多層階建物の内部へと水平方向に延在する前記床棚の上に、複数の床根太を、対向する壁トラス間の距離を跨ぐように設置することと、
プレハブ式床モジュールを、前記床根太の上に、対向する壁トラス間の距離を跨ぐように配置することであって、前記プレハブ式床モジュールが前記壁トラスの内面間のみに延在することと、
を更に含む、請求項６に記載の多層階建物構築方法。
【請求項９】
複数の壁トラスを備え、当該壁トラスが３次元マトリックスで相互連結され、それにより、空間容積を包囲するための多層階建物の複数の外壁、及び、複数の内部構造仕切りの両方を形成し、当該内部構造仕切りが、互いに連結され且つ少なくとも２つの平坦な層において前記外壁に連結され、それにより、前記内部構造仕切りが相互連結されている前記外壁への水平方向の支持を提供する、
多層階建物であって、
前記壁トラスのそれぞれが、
平行に向けられた少なくとも第１及び第２の離間された中空柱はそれぞれが上端及び下端を有し、前記中空柱の隣り合う柱が、前記上端にて水平梁により相互連結され、前記水平梁が、隣り合う鉛直部材間の空間を跨ぎ且つ前記鉛直部材のそれぞれの側部に連結されており、前記相互連結部が、曲げモーメントを伝達し且つ曲げモーメントに抵抗できる固定されたジョイントであることと、
壁トラス取り付け部材はそれぞれが、第１の壁トラスの中空柱の上端、及び、前記第１の壁トラスの上に鉛直方向に配置された第２の壁トラスの中空柱の下端に挿入可能であることと、
ジョイント材料は、前記壁トラス取り付け部材及び関連する中空柱内に挿入され、前記第１の壁トラスと前記第２の壁トラスとの間に固定されたジョイントを作成するために固体塊に形成されることとを、含むモーメントフレームを備える多層階建物。
【請求項１０】
更に、
前記基礎に埋め込まれた嵌合アンカーを備え、各嵌合アンカーが、前記基礎から突出している上部を有し、当該上部が、予め構成されている壁トラスのセットの前記鉛直部材の前記中空部材の底部に挿入するためにある、請求項９に記載の多層階建物。
【請求項１１】
前記壁トラスが、更に、
前記嵌合アンカーに関連する前記中空柱内に挿入されるジョイント材料を含み、当該ジョイント材料が固体塊に形成されて、前記予め構成されている第１壁トラスのセットと前記基礎との間に固定されたジョイントを作成する、請求項１０に記載の多層階建物。
【請求項１２】
前記壁トラスが、
鋼管から成る鉛直部材を有する鉛直フィーレンディールトラスを、曲げモーメントを伝達し且つ曲げモーメントに抵抗できる固定されたジョイントを有するフレームとして含み、前記鉛直部材のうち隣り合う鉛直部材が、その上部及び底部にて、矩形の開口部を形成する水平梁により相互連結されている、請求項９に記載の多層階建物。
【請求項１３】
更に、
複数の床棚を備え、当該床棚が、隣接する積み重ねられた壁トラスの一方である下階の壁トラスの前記上部水平梁に取り付けられ、前記床棚が、前記隣接する積み重ねられた壁トラスの表面から前記多層階建物の内部へと水平方向に延在する、請求項９に記載の多層階建物。
【請求項１４】
更に、
複数の床モジュールを備え、当該床モジュールが、前記床棚の上に、対向する壁トラス間の距離を跨ぐように配置され、前記床モジュールが前記壁トラスの内面間のみに延在する、請求項１３に記載の多層階建物。
【請求項１５】
更に前記壁トラスが、
第１の端部及び第２の端部を有する第１の梁を備え、前記第１の梁の前記第１の端部が第１の前記中空柱の前記上端の側部に連結され、前記第1の梁の前記第2の端部が第2の前記中空柱の前記上端の側部に連結されて、矩形の壁セグメントを形成している請求項１３に記載の多層建築物。
【請求項１６】
前記壁トラスが、
線状列に位置合わせされた鋼管から成る複数の鉛直部材を備え、当該鉛直部材のうち隣り合う鉛直部材が、隣り合う鉛直部材間の空間を跨ぐ上部梁によって相互連結され、前記梁と前記鉛直部材との前記相互連結が、曲げモーメントを伝達し且つ曲げモーメントに抵抗できる固定されたジョイントである請求項１３に記載の多層建築物。
【請求項１７】
更に、
前記床棚の上に設置された複数の床根太を備え、当該床根太が、前記隣接する積み重ねられた壁トラスの表面から前記多層階建物の内部へと水平方向に、対向する壁トラス間の距離を跨ぐように延在する、請求項１３に記載の多層階建物。
【請求項１８】
更に、
前記床根太の上に、対向する壁トラス間の距離を跨ぐように配置されたプレハブ式床モジュールを備え、当該プレハブ式床モジュールが、前記壁トラスの内面間のみに延在する、請求項１７に記載の多層階建物。